(57)【要約】【課題】操作性および視認性の向上を図ることが可能なセルフプリント端末を提供することを目的とする。【解決手段】セルフプリント端末１は、同時に使用可能な第１画面表示部である画面表示部１２ａと、第２画面表示部である画面表示部１２ｂとを備えている。また、セルフプリント端末１において、第１画面表示部である画面表示部１２ａおよび第２画面表示部である画面表示部１２ｂは、セルフプリント端末１の幅方向に隣接して配置されている。【選択図】図２
2015118515.tif 000002
【特許請求の範囲】
【請求項１】
同時に使用可能な第１画面表示部および第２画面表示部を備えたセルフプリント端末であって、
前記第１画面表示部および前記第２画面表示部は、前記セルフプリント端末の幅方向に隣接して配置された、セルフプリント端末。
【請求項２】
前記第１画面表示部および前記第２画面表示部は、共に上方または前方から視認可能な姿勢で配置された、請求項１記載のセルフプリント端末。
【請求項３】
前記第１画面表示部および前記第２画面表示部は、それぞれ異なるアプリケーションに対応した画面を表示する、請求項１または請求項２記載のセルフプリント端末。
【請求項４】
前記第１画面表示部および前記第２画面表示部は、視認可能な方向が互いに異なる姿勢で配置された、請求項１記載のセルフプリント端末。
【請求項５】
前記第１画面表示部および前記第２画面表示部は、それぞれ表示画面の大きさが異なる、請求項１〜４のいずれか１つに記載のセルフプリント端末。
【発明の詳細な説明】
【技術分野】
【０００１】
本発明は、デジタルカメラおよび携帯電話機で撮影した画像データ、およびユーザーが持参した記録メディアに記録されている画像データをプリントするセルフプリント端末に関するものである。
【背景技術】
【０００２】
デジタルカメラ、および高画質なカメラの機能を有する携帯電話機の普及に伴い、撮影されたデジタル画像をプリントする需要が増えている。画像データが記録されているメモリーカードなどの記録メディアは簡単に持ち運びが可能であるため、記録メディアを利用して手軽にプリントを行えるセルフプリント端末が多く普及している。
【０００３】
従来のセルフプリント端末は、コンビニおよびスーパーなどに配置されており、省スペースで手早く利用できる形態であった。近年、ファミリー層およびお年寄り層の顧客を取り込むために、ゆったり座りながら操作できる着席型の操作性を重視した形態のセルフプリント端末が発売されている。これにより、一人のユーザーのみならず複数のユーザーでセルフプリント端末を利用するようになってきている。
【０００４】
従来のセルフプリント端末には、１つの大画面のタッチパネル画面が配置されているだけであり、お年寄りおよび操作に慣れていない人は、文字および写真を大きく表示する機能および音声ガイダンスに頼り操作を行っていた。
【０００５】
また、画像編集におけるスタンプ機能およびお絵かき機能、無線通信による画像転送など、セルフプリント端末の多機能化も加わり、お年寄りおよび操作に慣れていない人には、さらにセルフプリント端末の操作が難しくなってきているという問題があった。
【０００６】
このため、お年寄りおよび操作に慣れていない人は補助者と一緒にセルフプリント端末を利用する場合がある。セルフプリント端末ではユーザーがタッチパネル画面で操作を行うが、１つのセルフプリント端末につき１つのタッチパネル画面を備えているため、１つのタッチパネル画面を複数のユーザーで共有して利用する場合には、一人のユーザーが利用する場合と比べて、操作・閲覧が困難となるという問題があった。
【０００７】
この問題に対して、垂直タッチパネル画面と水平タッチパネル画面の２つの画面を垂直および水平に配置し、複数のユーザーで利用する場合には閲覧・操作が容易な垂直タッチパネル画面を使用し、一人のユーザーで利用する場合には水平パネル画面を使用することが可能な情報キオスク端末が開示されている（例えば、特許文献１参照）。
【先行技術文献】
【特許文献】
【０００８】
【特許文献１】特開２０１０−１４６３１０号公報
【発明の概要】
【発明が解決しようとする課題】
【０００９】
特許文献１に記載の情報キオスク端末において、垂直方向と水平方向の画面配置では、画面の配置角度が異なっている上にこれらの画面は上下方向に並べて配置されているため、一方の画面から他方の画面に切り替える際にはユーザーが視線を動かす必要がある。そのため、１つの情報キオスク端末に２つの画面を配置しているにも関わらず、一人のユーザーが同時に２つの画面を容易に使用することはできず、操作性および視認性が低下するという問題があった。
【００１０】
そこで、本発明は、操作性および視認性の向上を図ることが可能なセルフプリント端末を提供することを目的とする。
【課題を解決するための手段】
【００１１】
本発明に係るセルフプリント端末は、第１画面表示部および第２画面表示部を備えたセルフプリント端末であって、前記第１画面表示部および前記第２画面表示部は、前記セルフプリント端末の幅方向に隣接して配置されたものである。
【発明の効果】
【００１２】
本発明によれば、第１画面表示部および第２画面表示部は、セルフプリント端末の幅方向に隣接して配置されたため、ユーザーは、視線を動かすことなく第１画面表示部および第２画面表示部におけるそれぞれの表示画面を視認することができ、第１画面表示部および第２画面表示部を容易に使用することができる。これにより、セルフプリント端末の操作性および視認性の向上を図ることが可能となる。
【図面の簡単な説明】
【００１３】
【図１】実施の形態１に係るセルフプリント端末の構成を示すブロック図である。
【図２】実施の形態１に係るセルフプリント端末の斜視図である。
【図３】実施の形態１の変形例に係るセルフプリント端末の斜視図である。
【図４】実施の形態１に係るセルフプリント端末の操作手順を示すフローチャートである。
【図５】それぞれ異なるアプリケーションに対応した２つの画面を個別に表示させた場合の画面表示部の正面図である。
【図６】アプリケーションに対応した画面とガイダンス画面とを個別に表示させた場合の画面表示部の正面図である。
【図７】アプリケーションに対応した拡張画面を個別に表示させた場合の画面表示部の正面図である。
【図８】互いに解像度の異なる画面表示部の正面図である。
【図９】実施の形態２に係るセルフプリント端末の斜視図である。
【図１０】実施の形態３に係るセルフプリント端末の画面表示部の正面図である。
【発明を実施するための形態】
【００１４】
＜実施の形態１＞
本発明の実施の形態１について、図面を用いて以下に説明する。図１は、実施の形態１に係るセルフプリント端末１の構成を示すブロック図である。
【００１５】
図１に示すように、セルフプリント端末１は、画像データ受付端末部（以下「受付端末部」という）２と、プリンタ３とを備えている。受付端末部２は、デジタルカメラおよび携帯電話機で撮影された画像データを読み込み、セルフプリント端末１に搭載（配置）された画面表示部１２ａと画面表示部１２ｂに画像を表示させて、ユーザーに画像を選択させる。なお、画面表示部１２ａと画面表示部１２ｂの詳細については後述する。
【００１６】
プリンタ３は、受付端末部２に接続され、受付端末部２で読み込んだ画像データを写真４として印刷（プリント）する。なお、受付端末部２に接続されるプリンタ３は、１台に限らず複数台接続可能である。複数台のプリンタ３を接続した場合、複数台のプリンタ３から写真４がそれぞれプリントされる。
【００１７】
ここで、プリンタ３は高解像度のカラープリンタである。具体的には、プリンタ３は昇華型プリンタまたはインクジェットプリンタなどであり、印刷の方式は限定しない。また、プリンタ３でプリントされる写真４は、Ｌ判サイズの写真に限定することはなく、はがきサイズまたは２Ｌ判サイズなどの大きなサイズ、またはシールプリントであってもよい。
【００１８】
次に、受付端末部２について説明する。受付端末部２は、画像データ読み込み部６と、画面表示部１２ａ（第１画面表示部）と、画面表示部１２ｂ（第２画面表示部）と、音声再生部１３と、位置検出部１４と、通信部１７と、課金部１９と、システム制御部２１とを備えている。システム制御部２１は、記憶部９と、印刷データ作成部１０と、プリントデータ送信部１１と、データ選択部１５とを備えている。
【００１９】
画像データ読み込み部６は、ユーザーがデジタルカメラおよび携帯電話機で撮影した画像データを記憶する記録メディア５と接続可能に構成されている。画像データ読み込み部６は、記録メディア５と接続された場合に記録メディア５の画像データを読み込む。ここで、記録メディア５は、デジタルカメラで使用されているＳＤカードおよびメモリースティックなどのカードメディア、ＣＤ、ＤＶＤまたはＵＳＢメモリなどである。
【００２０】
画像データ読み込み部６は、ＳＤカードおよびメモリースティックなどのカード類を読み込むカードリーダー、ＣＤ／ＤＶＤを読み込むＣＤ／ＤＶＤドライブ、またはＵＳＢを読み込むＵＳＢポートである。また、画像データ読み込み部６は、携帯電話機から赤外線通信でデータを受信する赤外線通信装置、Ｂｌｕｅｔｏｏｔｈ（登録商標）でデータを受信するＢｌｕｅｔｏｏｔｈ装置、スマートフォンとデータ通信を行うＷｉ−Ｆｉ装置、スマートフォンと直接接続しデータ通信を行うケーブル等、またはスキャナー装置などであってもよい。
【００２１】
記憶部９は、画像データ読み込み部６で読み込んだ画像データ７と、画像表示および音声ガイダンス情報のデータベースである定義データ８と、プリンタ３からプリントされる写真４の画質を調整するための画質調整データ１６とを記憶する。
【００２２】
ここで、記憶部９は、ハードディスクなどの大容量記憶装置である。記憶部９には、各構成部を制御するプログラムが記憶されている。当該プログラムとしては、例えば、記録メディア５から画像データ７を読み込んで記憶部９に一時的に記憶させるプログラム、画面表示部１２ａ，１２ｂに表示させる画像を制御するプログラム、画像の編集および加工を行うプログラム、ユーザーのプリント注文情報を記憶するプログラム、プリンタ３でプリントする画像を送信するプログラム、データサーバー１８とデータをやり取りするプログラム等がある。
【００２３】
印刷データ作成部１０は、記憶部９に記憶された画像データ７を印刷用のデータ（プリントデータ）に加工する。プリントデータ送信部１１は、印刷データ作成部１０で作成されたプリントデータをプリンタ３に送信する。
【００２４】
ここで、印刷データ作成部１０は、選択した画像に対してらくがき、スタンプおよびフレームを加えたりする加工、画像の拡大または縮小、回転、およびトリミングなどの画像編集機能を有する。印刷データ作成部１０の画像編集機能では、定義データ８に含まれるスタンプおよびフレームなどの素材データを扱う。
【００２５】
画面表示部１２ａ，１２ｂは、同時に使用可能に構成され、画像データ読み込み部６で読み込んだ画像データ７に対応する画像を表示すると共に、ユーザーに選択させるための画面表示および操作ガイダンス表示を行う。
【００２６】
音声再生部１３は、ユーザーによる画像の選択および受付端末部２の操作を、困惑することなく行えるように音声ガイダンスの再生を行うとともに、プリント中のＢＧＭの再生を行う。また、音声再生部１３は、セルフプリント端末１が操作されていないときに、通行人に対してセルフプリント端末１の機能を告知するキャッチ音声などの再生を行う。なお、音声再生部１３がキャッチ音声などの再生を行っている間、画面表示部１２ａ，１２ｂはスクリーンセーバーを表示する。
【００２７】
課金部１９は、ユーザーが受付端末部２で注文した分のプリント料金を徴収する。具体的には、課金部１９は、硬貨および紙幣の受け入れと、投入された硬貨および紙幣の保持と、つり銭の返却などを行う。
【００２８】
位置検出部１４は、セルフプリント端末１が設置された位置の位置情報を検出する。位置検出部１４は、例えば、ＧＰＳ（Global Positioning System）による位置測定方法、ＩＰアドレスによる位置測定方法、またはＷｉ−Ｆｉ基地局による位置測定方法などを使用して、セルフプリント端末１の位置情報である座標を検出し、検出結果を出力する。ここで、座標とは緯度・経度のことを指すが、その他取得した位置情報によってセルフプリント端末１の位置情報が特定できるものであれば、特に限定する必要はない。
【００２９】
データ選択部１５は、位置検出部１４で検出された位置情報に基づいて最適な画面表示および音声ガイダンスを行うための定義データ８を選択する。データ選択部１５は、ＣＰＵ、ＲＯＭおよびＲＡＭで構成され、記憶部９に記憶されたプログラムに従って定義データ８の選択を行う。
【００３０】
通信部１７は、記憶部９に記憶される定義データ８の取得および更新を行うためにデータサーバー１８との間で通信２０を行う。通信部１７がデータサーバー１８との間で行う通信２０は、有線通信であってもよいし、無線通信であってもよい。
【００３１】
ここで、定義データ８とは、位置検出部１４で取得される位置情報データと、予めユーザーが設定する画面表示および音声ガイダンスと、プリントされる写真の色味および質感を調整する画質調整ファイルと、写真の販売金額を設定した料金設定データとを関連付けたデータである。より具体的には、定義データ８は、位置検出部１４で得られた位置情報、例えば、緯度・経度と、その地域で使用される画面表示および音声ガイダンスと、プリントされる写真の色味および質感と、写真の販売金額とを関連付けて記憶部９に記憶される。
【００３２】
次に、画面表示部１２ａ，１２ｂについて説明する。図２は、実施の形態１に係るセルフプリント端末１の斜視図であり、図３は、実施の形態１の変形例に係るセルフプリント端末１Ａの斜視図である。
【００３３】
画面表示部１２ａ，１２ｂは、画像表示、画面表示および操作ガイダンス表示を行う表示画面を備えており、例えばＣＲＴまたは液晶パネル等の表示装置と一体化されたタッチパネルである。ここで、画面表示部１２ａ，１２ｂがタッチパネルの場合は、マルチタッチ対応のタッチパネルであってもよい。なお、画面表示部１２ａ，１２ｂは同じ解像度を有している。
【００３４】
図２に示すように、画面表示部１２ａ，１２ｂは、セルフプリント端末１の幅方向に隣接して配置されている。より具体的には、画面表示部１２ａ，１２ｂは、例えば、筐体２２の前面に配置された取付部材（図示省略）を介して筐体２２に取り付けられ、画面表示部１２ａの右端と画面表示部１２ｂの左端が連結されている。また、画面表示部１２ａ，１２ｂ（より具体的には、画面表示部１２ａ，１２ｂの表示画面）は、共に上方から視認可能な姿勢で配置されている。すなわち、画面表示部１２ａ，１２ｂの表示画面は、水平面に対して共に同じ角度となるように配置されている。
【００３５】
ここで、画面表示部１２ａ，１２ｂの表示画面が上方から視認可能な姿勢とは、画面表示部１２ａ，１２ｂの表示画面が水平面と平行である場合だけでなく、画面表示部１２ａ，１２ｂの表示画面が前方へ行く程下方に所定角度だけ傾斜する場合も含まれる。通常、画面表示部１２ａ，１２ｂは２つ同時に使用されるが、故障等で一方が使用できない場合には、他方にアプリケーションに対応した画面を表示させる。
【００３６】
また、図３に示すように、画面表示部１２ａ，１２ｂ（より具体的には、画面表示部１２ａ，１２ｂの表示画面）は、共に前方から視認可能な姿勢で配置されていてもよい。画面表示部１２ａ，１２ｂは、例えば、筐体２２の前面に配置された取付部材（図示省略）を介して筐体２２に取り付けられ、画面表示部１２ａの右端と画面表示部１２ｂの左端が連結されている。すなわち、画面表示部１２ａ，１２ｂの表示画面は、鉛直面に対して共に同じ角度となるように配置されている。
【００３７】
ここで、画面表示部１２ａ，１２ｂの表示画面が前方から視認可能な姿勢とは、画面表示部１２ａ，１２ｂの表示画面が鉛直面と平行である場合だけでなく、画面表示部１２ａ，１２ｂの表示画面が下方へ行く程前方へ所定角度だけ傾斜する場合も含まれる。
【００３８】
次に、セルフプリント端末１の操作手順について説明する。図４は、実施の形態１に係るセルフプリント端末１の操作手順を示すフローチャートであり、図５は、それぞれ異なるアプリケーションに対応した２つの画面を個別に表示させた場合の画面表示部１２ａ，１２ｂの正面図であり、図６は、アプリケーションに対応した画面とガイダンス画面とを個別に表示させた場合の画面表示部１２ａ，１２ｂの正面図であり、図７は、アプリケーションに対応した拡張画面を個別に表示させた場合の画面表示部１２ａ，１２ｂの正面図である。
【００３９】
セルフプリント端末１は、セルフプリント端末１にて実施可能なサービス内容または案内を画面表示部１２ａ，１２ｂに表示して、ユーザーの利用を促す。ユーザーが画面表示部１２ａ，１２ｂに表示されているスタートボタンを押下することで、セルフプリント端末１はサービスを開始する。
【００４０】
ユーザーは、使用する記録メディア５をセルフプリント端末１の画像データ読み込み部６に挿入する（ステップＳ１）。画像データ読み込み部６は、挿入された記録メディア５から画像データおよび画像に付加された情報を読み取る（ステップＳ２）。
【００４１】
セルフプリント端末１は、セルフプリント端末１にて利用可能なアプリケーションに対応した画面（以下「アプリケーション画面」という」）の表示形態を画面表示部１２ａ，１２ｂに表示し、ユーザーは所望のアプリケーション画面の表示形態を選択する（ステップＳ３）。
【００４２】
ここで、選択可能な項目（アプリケーション画面の表示形態）としては、図５に示すアプリケーション画面を２つの画面表示部１２ａ，１２ｂに個別に表示する形態１（ステップＳ４）、図６に示す２つの画面表示部１２ａ，１２ｂにそれぞれアプリケーション画面とガイダンスを表示する形態２（ステップＳ５）、図７に示すアプリケーション画面を２つの画面表示部１２ａ，１２ｂに拡張表示する形態３（ステップＳ６）がある。但し、故障等で画面表示部１２ａ，１２ｂの一方のみ使用可能な場合は、一方の画面表示部にアプリケーション画面を表示する形態となる。なお、図４では、画面表示部１２ａ，１２ｂを単に表示部と記載している。
【００４３】
セルフプリント端末１は、セルフプリント端末１にて利用可能なサービスを、選択されたアプリケーション画面の表示形態に応じて画面表示部１２ａ，１２ｂに表示させ、ユーザーは所望のプリントサービスを選択する（ステップＳ７）。ここで、選択可能な項目（プリントサービス）としては、通常の写真プリントサービスに加えて、インデックスプリントサービス、分割プリントサービスおよび証明写真サービス等がある。なお、選択可能なプリントサービスは、上記に例示したプリントサービスに限定されない。
【００４４】
セルフプリント端末１は、記録メディア５から読み込んだ画像データのサムネイルを画面表示部１２ａ，１２ｂに表示させて、ユーザーに画像を選択させる。ユーザーは選択した画像の編集および加工などを行う（ステップＳ８）。
【００４５】
セルフプリント端末１は、ユーザーが選択したプリントサービスと画像数に応じてプリントに必要な金額を算出して画面表示部１２ａ，１２ｂの一方に表示させる。ユーザーは、課金部１９にて表示された金額を支払う（ステップＳ９）。支払い金額に対してお釣りが発生する場合は、課金部１９からユーザーにお釣りが支払われる。セルフプリント端末１は、料金が正しく決済されたことを確認後、プリンタ３に画像データを転送し、プリント処理を開始する（ステップＳ１０）。
【００４６】
セルフプリント端末１は、全てのプリントが正常に完了したことを確認後、サービスを終了し、画面表示部１２ａ，１２ｂにスタート画面を表示させる。ユーザーがサービスを実施する度にステップＳ１〜ステップＳ１０の処理が繰り返し行われる。
【００４７】
次に、図４のステップＳ４〜Ｓ６におけるアプリケーション画面の表示形態について詳細に説明する。図５に示すように、形態１では複数のユーザーが１台のセルフプリント端末１を操作する場合を想定している。形態１では、画面表示部１２ｂに画像選択画面を表示し、画面表示部１２ａに画像編集画面を表示するというように、画面表示部１２ａ，１２ｂごとにアプリケーション画面を割り当てている。このアプリケーション画面の割り当てに関して、一方の画面は他方の画面に対して従属または独立しているものとする。
【００４８】
従来のセルフプリント端末のように１つの画面表示部を二人のユーザーが共有して利用する場合と比較すると、セルフプリント端末１では、画面表示部１２ａ，１２ｂごとにアプリケーション画面を表示しているため、二人のユーザーが画面表示部１２ａ，１２ｂごとにそれぞれ操作可能となり、セルフプリント端末１の操作性の向上と画面の視認性が向上する。
【００４９】
図６に示すように、形態２では、画面表示部１２ａにユーザー操作画面を表示し、画面表示部１２ｂに操作ガイダンス画面を表示する。このアプリケーション画面の割り当てに関して、操作ガイダンス画面がユーザー操作画面に従属するものとする。２つの画面表示部１２ａ，１２ｂは、セルフプリント端末１の幅方向に隣接して配置されているため、ユーザーは視線を動かすことなく、ユーザー操作画面と操作ガイダンス画面を視認することができる。これにより、ユーザーは迷わずにセルフプリント端末１の操作を行うことが可能となるため、セルフプリント端末１の操作性が向上する。
【００５０】
図７に示すように、形態３では、一人のユーザーがセルフプリント端末１を操作する場合を想定している。形態３では、画面表示部１２ａにアプリケーションに対応した拡張画面の一部を表示するとともに、画面表示部１２ｂにアプリケーションに対応した拡張画面の残部を表示する。画面表示部１２ａ，１２ｂがセルフプリント端末１の幅方向に隣接して配置されているため、ユーザーは視線を動かすことなく、画面表示部１２ａ，１２ｂに拡張表示された画面を視認可能となる。これにより、大画面でセルフプリント端末１を操作できることと同様の効果が得られ、画面の視認性が向上する。
【００５１】
以上のように、実施の形態１に係るセルフプリント端末１では、画面表示部１２ａ，１２ｂは、セルフプリント端末１の幅方向に隣接して配置されたため、ユーザーは、視線を動かすことなく画面表示部１２ａ，１２ｂにおけるそれぞれの画面を視認することができ、画面表示部１２ａ，１２ｂを容易に使用することができる。これにより、セルフプリント端末１の操作性および視認性の向上を図ることが可能となる。
【００５２】
画面表示部１２ａ，１２ｂは、共に上方または前方から視認可能な姿勢で配置されたため、ユーザーが画面表示部１２ａ，１２ｂを見やすくなるともに、操作しやすくなり、セルフプリント端末１の操作性および視認性の向上を一層図ることが可能となる。
【００５３】
画面表示部１２ａ，１２ｂは、それぞれ異なるアプリケーション画面を表示するため、二人のユーザーが画面表示部ごとにそれぞれ操作可能となり、セルフプリント端末１の操作性および視認性の向上を図ることが可能となる。
【００５４】
なお、画面表示部１２ａ，１２ｂはそれぞれ異なる解像度を有していてもよい。図８は、互いに解像度の異なる画面表示部１２ａ，１２ｂの正面図である。図８に示すように、画面表示部１２ａは高解像度を有し、画面表示部１２ｂは低解像度を有している。高解像度の画面表示部１２ａは、画像の編集などを行うためのものであり、低解像度の画面表示部１２ｂは、注文操作およびガイダンス表示などを行うためのものである。
【００５５】
ユーザーが低解像度で表示された操作ガイダンスを視覚的に理解しながら、画像編集などの操作を高解像度で行えるため、セルフプリント端末の操作性が向上する。また、画像編集などを行うための高解像度の画面表示部１２ａとして、ユーザーの操作性を考慮し、マルチタッチ可能なタッチパネルを配置する。注文操作およびガイダンス表示などを行うための低解像度の画面表示部１２ｂとして、ユーザーが複雑な操作を行うことがないため、マルチタッチのできない安価な方式のタッチパネルを配置する。これにより、セルフプリント端末の製造コストを低減できる。
【００５６】
＜実施の形態２＞
次に、実施の形態２に係るセルフプリント端末１Ｂについて説明する。図９は、実施の形態２に係るセルフプリント端末１Ｂの斜視図である。なお、実施の形態２において、実施の形態１で説明したものと同一の構成要素については同一符号を付して説明は省略する。
【００５７】
図９に示すように、画面表示部１２ａ，１２ｂは、視認可能な方向が互いに異なる姿勢で配置されている。より具体的には、画面表示部１２ａ，１２ｂは、直立姿勢で鉛直軸に対し互いに異なる角度で、かつ、セルフプリント端末１Ｂの幅方向内側を向く姿勢で配置されている。画面表示部１２ａ，１２ｂは、例えば、筐体２２の前面に配置された取付部材（図示省略）を介して筐体２２に取り付けられ、画面表示部１２ａの右端と画面表示部１２ｂの左端が連結されている。これにより、画面表示部１２ａ，１２ｂの表示画面は、直立姿勢で鉛直軸に対し互いに異なる角度で、かつ、セルフプリント端末１Ｂの幅方向内側を向くように配置されている。
【００５８】
以上のように、実施の形態２に係るセルフプリント端末１Ｂでは、画面表示部１２ａ，１２ｂは、視認可能な方向が互いに異なる姿勢で配置されたため、それぞれの画面表示部１２ａ，１２ｂの画面が見やすくなる。また、画面表示部１２ａ，１２ｂ自身がプライバシー保護板の機能を兼ねるため、ユーザー以外の覗き見を防止することが可能となる。これにより、ユーザーは、セルフプリント端末１Ｂを安心して利用することが可能となるとともに、プライバシー保護板を配置する必要がなくなり、セルフプリント端末１Ｂの製造コストを低減することが可能となる。
【００５９】
＜実施の形態３＞
次に、実施の形態３に係るセルフプリント端末について説明する。図１０は、実施の形態３に係るセルフプリント端末の画面表示部１２ａ，１２ｂの正面図である。なお、実施の形態３において、実施の形態１，２で説明したものと同一の構成要素については同一符号を付して説明は省略する。
【００６０】
図１０に示すように、画面表示部１２ａ，１２ｂは、それぞれ表示画面の大きさが異なる。より具体的には、画面表示部１２ａの表示画面は、画面表示部１２ｂの表示画面よりも大型に形成されている。換言すると、画面表示部１２ｂの表示画面は、画面表示部１２ａの表示画面よりも小型に形成されている。
【００６１】
大型の画面表示部１２ａは、通常のセルフプリント端末に関する操作を行うためのものである。小型の画面表示部１２ｂは、セルフプリント端末の操作の補助を行うためのものである。例えば、小型の画面表示部１２ｂは、セルフプリント端末の拡大表示機能の拡大部を表示する場合などに使用される。仮に、１つの画面で拡大表示機能を実現した場合、拡大部が拡大部以外の領域を隠す必要があるが、小型の画面表示部１２ｂに拡大部を表示することで、大型の画面表示部１２ａにユーザーの操作画面を全て表示可能となるため、ユーザーの操作性が向上する。
【００６２】
以上のように、実施の形態３に係るセルフプリント端末では、画面表示部１２ａ，１２ｂは、それぞれ表示画面の大きさが異なるため、小型の画面表示部１２ｂを操作の補助に使用することができ、セルフプリント端末の操作性が向上する。
【００６３】
なお、本発明は、その発明の範囲内において、各実施の形態を自由に組み合わせたり、各実施の形態を適宜、変形、省略することが可能である。
【符号の説明】
【００６４】
１，１Ａ，１Ｂ  セルフプリント端末、１２ａ，１２ｂ  画面表示部。
【図１】
2015118515.tif 000003
【図２】
2015118515.tif 000004
【図３】
2015118515.tif 000005
【図４】
2015118515.tif 000006
【図５】
2015118515.tif 000007
【図６】
2015118515.tif 000008
【図７】
2015118515.tif 000009
【図８】
2015118515.tif 000010
【図９】
2015118515.tif 000011
【図１０】
2015118515.tif 000012